(57)【要約】【課題】羽根部材を開いた状態から閉じる際に、閉まりかかった羽根部材と遊技盤面との間に遊技球が挟まることを防止できる、新規な且つ優れた開閉方式を採用した可動入賞装置を提供する。【解決手段】可動入賞装置６７は、駆動用ソレノイド８６、クランク８８、軸部材９２及び羽根７９を備える。駆動用ソレノイド８６のプランジャ８７が上方へ移動すると、クランク８８も上方へ移動し、駆動用ギヤ８９が支持ピン９０を回転中心として回動する。それにより、駆動用ギヤ８９と歯合している羽根回動用ギヤ９１が回動し、羽根７９が開放する。その結果、羽根７９の遊技球当て部７９Ａがパチンコ球用の流路Ｐ２に突き出るので、転動するパチンコ球を遊技球当て部７９Ａに当てて、可動入賞装置６７の上方開口６７ａを通過させて、内部へ導くことができる。【選択図】図９
2010057958.tif 000002
【特許請求の範囲】
【請求項１】
軸部材を中心に回動可能に支持され遊技機の遊技領域を転動する遊技球を入口に入れるため開閉する羽根部材を備えた可動入賞装置において、
遊技球を当てるための遊技球当て部を前記羽根部材に設け、
前記羽根部材の先端部が前記入口の前方に位置する前記羽根部材の開放状態にあって転動する遊技球を前記遊技球当て部に当てて前記入口に導くための第１位置と、前記羽根部材の先端部が前記軸部材の下方に位置する前記羽根部材の閉鎖状態にあって遊技球の落下を許容するための第２位置と、に前記遊技球当て部を配置できる配置手段と、
前記第２位置における前記羽根部材の先端位置を前記第１位置における前記羽根部材の先端位置よりも下方に設定し、前記羽根部材を前記軸部材を中心に回動させることによって前記遊技球当て部を前記第１位置及び前記第２位置に選択的に配置できる配置変更手段と、
前記第２位置に前記遊技球当て部が配置された場合に、遊技機の遊技領域を転動する遊技球が前記入口に入らない流路を形成するために前記可動入賞装置の上方を覆う覆い部材と、を備え、
前記配置変更手段は、
駆動に基づいて往復運動させる突出部を有する駆動手段と、
前記羽根部材と前記突出部との間に位置する支点を中心に回動可能に支持され、一端が前記突出部に係止されるとともに、他端が前記軸部材に係合され、前記突出部の上下動に従って前記支点を中心に回動する作動部材と、
を備え、
前記作動部材は、前記他端に配置された駆動用ギヤを備え、
前記軸部材は、前記駆動用ギヤと歯合して前記駆動用ギヤとともに前記作動部材の回動運動を前記羽根部材の開閉運動へと変換する羽根回転用ギヤを備え、
前記配置変更手段は、
前記突出部が第１方向へ駆動されることにより、前記作動部材が前記支点を中心に第２方向へ回動し、前記作動部材の回動に基づいて前記駆動用ギヤと歯合する前記羽根回転用ギヤが前記羽根部材を閉鎖する方向へ回動し、前記羽根回転用ギヤの回動に基づいて前記羽根部材が前記軸部材を中心に回動することにより、前記遊技球当て部を前記第１位置から前記第２位置へと移行し、
前記突出部が前記第１方向の逆方向である第３方向へ駆動されることにより、前記作動部材が前記支点を中心に前記第２方向の逆方向である第４方向へ回動し、前記作動部材の回動に基づいて前記駆動用ギヤと歯合する前記羽根回転用ギヤが前記羽根部材を開放する方向へ回動し、前記羽根回転用ギヤの回動に基づいて前記羽根部材が前記軸部材を中心に回動することにより、前記遊技球当て部を前記第２位置から前記第１位置へと移行することを特徴とする可動入賞装置。
【発明の詳細な説明】
【技術分野】
【０００１】
本発明は、遊技機の遊技領域を流れる遊技球を入口に入れるため、例えば羽根部材等の可動部材を備えた可動入賞装置またはその可動入賞装置を備えた遊技機に関し、特に、羽根部材等の可動部材を開いた状態から閉じる際に、閉まりかかった羽根部材等の可動部材と遊技盤面との間に遊技球が挟まることを防止できる新規な且つ優れた可動入賞装置に関するものである。
【背景技術】
【０００２】
従来、遊技機としてのパチンコ遊技機に設けられる可動入賞装置は、例えば特別入賞装置を備えている。この特別入賞装置は、遊技領域を流れるパチンコ球を入賞させるための開閉扉を備えている。その特別入賞装置の開閉扉は、遊技領域に設けられる表示装置が、始動入賞口への入賞に伴ってキャラクタの変動を開始して、その表示装置の表示結果が予め定めた大当たり図柄（特定表示結果）となった場合に、遊技者にとって特別有利な遊技状態となり、所定時間または所定個数だけ入賞するまで、連続的に開閉する状態となる。
このような従来の特別入賞装置は、開閉扉の下方側に位置する軸部を回転中心として、開閉扉が上開きとなる構成であり、バネ等の付勢手段の付勢力に抗して、開閉用ソレノイドのプランジャを作動させて、開閉扉を開いた状態から閉じた状態にするのに対して、開閉扉を閉じた状態から開いた状態にするには、開閉用ソレノイドの作動を解除させて、バネ等の付勢手段の付勢力でもって開閉扉を開く構成であった。
【発明の概要】
【発明が解決しようとする課題】
【０００３】
しかし、このような開閉扉の開閉の場合、開閉扉を開いた状態から閉じる際に、閉まりかかった開閉扉と、開閉扉の上方位置の遊技盤面との間に遊技球が挟まり、開閉扉の開閉に支障が生じることがあるため、遊技が中断することがあった。
また、開閉式の羽根を役物本体に備える役物の場合、羽根の開閉の際、羽根を開いた状態から閉じる時に、閉まりかかった羽根と役物本体との間に遊技球が挟まり、羽根の開閉に支障が生じることがあるため、遊技が中断することがあった。
そして、かかる遊技の中断が、遊技者にとって特別有利な遊技状態（例えば大当たり状態）の開始に起こると、転動する多くの遊技球が入賞口に入らず、遊技者の不利益が極めて大きいため、遊技者の遊技を行う気持ちに、水を差すことにもなりかねなかった。
本発明は、上記した問題点に鑑みなされたものであり、その目的とするところは、例えば羽根部材等の可動部材を開いた状態から閉じる際に、閉まりかかった羽根部材等の可動部材と遊技盤面との間に遊技球が挟まることを防止できる、新規な且つ優れた方式を採用した可動入賞装置を提供することにある。
【課題を解決するための手段】
【０００４】
上記の目的を達成するために、請求項１に係る発明によれば、軸部材を中心に回動可能に支持され遊技機の遊技領域を転動する遊技球を入口に入れるため開閉する羽根部材を備えた可動入賞装置において、遊技球を当てるための遊技球当て部を前記羽根部材に設け、前記羽根部材の先端部が前記入口の前方に位置する前記羽根部材の開放状態にあって転動する遊技球を前記遊技球当て部に当てて前記入口に導くための第１位置と、前記羽根部材の先端部が前記軸部材の下方に位置する前記羽根部材の閉鎖状態にあって遊技球の落下を許容するための第２位置と、に前記遊技球当て部を配置できる配置手段と、前記第２位置における前記羽根部材の先端位置を前記第１位置における前記羽根部材の先端位置よりも下方に設定し、前記羽根部材を前記軸部材を中心に回動させることによって前記遊技球当て部を前記第１位置及び前記第２位置に選択的に配置できる配置変更手段と、前記第２位置に前記遊技球当て部が配置された場合に、遊技機の遊技領域を転動する遊技球が前記入口に入らない流路を形成するために前記可動入賞装置の上方を覆う覆い部材と、を備え、前記配置変更手段は、駆動に基づいて往復運動させる突出部を有する駆動手段と、前記羽根部材と前記突出部との間に位置する支点を中心に回動可能に支持され、一端が前記突出部に係止されるとともに、他端が前記軸部材に係合され、前記突出部の上下動に従って前記支点を中心に回動する作動部材と、を備え、前記作動部材は、前記他端に配置された駆動用ギヤを備え、前記軸部材は、前記駆動用ギヤと歯合して前記駆動用ギヤとともに前記作動部材の回動運動を前記羽根部材の開閉運動へと変換する羽根回転用ギヤを備え、前記配置変更手段は、前記突出部が第１方向へ駆動されることにより、前記作動部材が前記支点を中心に第２方向へ回動し、前記作動部材の回動に基づいて前記駆動用ギヤと歯合する前記羽根回転用ギヤが前記羽根部材を閉鎖する方向へ回動し、前記羽根回転用ギヤの回動に基づいて前記羽根部材が前記軸部材を中心に回動することにより、前記遊技球当て部を前記第１位置から前記第２位置へと移行し、前記突出部が前記第１方向の逆方向である第３方向へ駆動されることにより、前記作動部材が前記支点を中心に前記第２方向の逆方向である第４方向へ回動し、前記作動部材の回動に基づいて前記駆動用ギヤと歯合する前記羽根回転用ギヤが前記羽根部材を開放する方向へ回動し、前記羽根回転用ギヤの回動に基づいて前記羽根部材が前記軸部材を中心に回動することにより、前記遊技球当て部を前記第２位置から前記第１位置へと移行することを特徴とする。
【０００５】
このような特徴を有する請求項１の発明によれば、配置変更手段は、第１位置に羽根部材の遊技球当て部を配置することにより、転動する遊技球を遊技球当て部に当てて入口に導くのに対して、遊技球当て部に転動する遊技球の落下を許容できる第２位置に遊技球当て部を配置することにより、遊技球当て部に転動する遊技球を当てずに、転動する遊技球の落下を許容させ、転動する遊技球を入口に入れない。
そして、羽根部材の遊技球当て部に当てて入口に導くための第１位置における前記羽根部材の先端位置よりも、遊技球の落下を許容するための第２位置における前記羽根部材の先端位置を下方に設定したことにより、転動する遊技球を入口に入れない場合、すなわち、羽根部材を閉じる場合には、配置変更手段が、第１位置から下方の第２位置に向かって、羽根部材を移動させるので、従来技術のような上開き方式の羽根部材において、開いた状態（第１位置）から閉じる状態（第２位置、すなわち、上方位置）に移動する際に、閉まりかかった羽根部材と役物本体との間に、遊技球が挟まることを防止できる。
【０００６】
また、遊技球用流路とは、可動入賞装置の上方側の周辺から、可動入賞装置の入口周辺までの流路をいう。具体的には、可動入賞装置の上方に、覆い部材を配置し、この覆い部材の下方に、入賞口の入口を配置し、これら覆い部材と入賞口との間に、遊技球当て部を備えた可動部材を配置し、可動部材の遊技球当て部に当てて入口に導くための第１位置よりも、遊技球の落下を許容するための第２位置を下方に設定する。
それにより、第１位置に羽根部材の遊技球当て部を配置することにより、転動する遊技球を遊技球当て部に当てて入口に導くのに対して、遊技球当て部に転動する遊技球の落下を許容できる第２位置に、遊技球当て部を配置することにより、遊技球当て部に転動する遊技球を当てずに、転動する遊技球の落下を許容させるが、可動入賞装置の上方を覆う覆い部材が、入口に入らないような流路を形成する。
このような特徴を有する請求項１の発明によれば、遊技球当て部が第２位置に位置して、転動する遊技球を入口に入れない状態で、転動する遊技球が入口に向かってくることがあるが、覆い部材は、そのような遊技球が入口にできるだけ入れないように流路を形成する。
それにより、第１位置に遊技球当て部を配置することにより、転動する遊技球を遊技球当て部に当てて入口に導くのに対して、遊技球当て部に転動する遊技球の落下を許容できる第２位置に遊技球当て部を配置することにより、転動する遊技球の落下を許容させ、転動する遊技球を入口に入れないことになる。
【０００７】
また、請求項１に記載された可動入賞装置を備えた遊技機によれば、羽根部材等の可動部材を開いた状態から閉じる際に、閉まりかかった可動部材と遊技盤面との間に遊技球が挟まることを防止できる、新規な且つ優れた開閉方式を採用した遊技機を提供できる。
【図面の簡単な説明】
【０００８】
【図１】実施形態に係るパチンコ遊技機の全体を示した正面図である。
【図２】実施形態に係るパチンコ遊技機の遊技領域を拡大して示した正面図である。
【図３】実施形態に係るパチンコ遊技機の特別入賞装置を拡大して示す斜視図である。
【図４】実施形態に係るパチンコ機の特別入賞装置の開閉扉の開閉用ソレノイド及び開閉扉を抽出して示す拡大斜視図で、（Ａ）は開閉扉が閉じた状態、（Ｂ）は開閉扉が開いた状態である。
【図５】実施形態に係るパチンコ遊技機の特別入賞装置の開閉扉周辺のみの概略図であって、（Ａ）は開閉扉が閉じた状態を示す拡大正面図であり、（Ｂ）は開閉扉が開いた状態を示す拡大端面図である。
【図６】第２の実施形態に係るパチンコ遊技機の遊技領域を拡大して示した正面図である。
【図７】第２の実施形態に係る可動入賞装置のみを示す拡大正面図である。
【図８】第２の実施形態に係る可動入賞装置のみを示す拡大断面図である。
【図９】第２の実施形態に係る可動入賞装置から回転部材等を取り外した状態を示す拡大正面図である。
【図１０】他の実施形態に係る可動入賞装置を示す拡大正面図である。
【発明を実施するための形態】
【０００９】
以下、図面を参照して、本発明の第１の実施形態について説明する。先ず、図１を参照して第１の実施形態に係る遊技機（図示ではパチンコ遊技機）の構成について説明する。図１は、パチンコ遊技機１を示す正面図である。図２はこの実施の形態に係るパチンコ遊技機１の遊技領域１１を示した拡大正面図である。
図１に示すパチンコ遊技機１は、いわゆる第一種パチンコ機であって、特別図柄変動装置(表示装置)に表示される左側及び右側のキャラクタが一致するリーチ状態（例えば「７、不確定数値、７」）及びこのリーチ状態を経て、全てのキャラクタを一致させる大当たり状態（例えば「７、７、７」）に設定することができる。
このパチンコ遊技機１は、後述する入賞口、特別図柄表示装置、電動役物及びゲート等の各種構造物を、遊技盤２上に配設している。具体的には、その遊技盤２の下方には、賞球払出装置（図示せず）を介して、払い出される賞球を受ける上皿３がプレート４に配設され、このプレート４はスピーカ３Ａを内蔵している。そして、その上皿３の下には、上皿３から溢れたパチンコ球を受ける下皿５が配設されている。また、プレート４の下方には、発射装置（図示せず）用の操作ハンドル６が設けられており、上皿３上のパチンコ球が、上皿３に連通する球送り機構（図示せず）を介して、発射装置（図示せず）へ送られるように構成されている。
【００１０】
また、遊技盤２の両肩部には、賞球払い出し表示用及び球切れ表示用ランプ１０、１０が設けられている。この遊技盤２の前側は、鋼板やステンレス等の金属製のガラス扉９により覆われている。このガラス扉９は、枠体の前側にヒンジ部材等を介して開閉自在に取り付けられている内枠に取り付けられている。また、ガラス扉９には、開口部を有する鋼板やステンレス等の金属製のガラス保持枠が、スポット溶接等により固着されている。そのため、遊技者はガラス保持枠に装着された２枚のガラスを通して、遊技盤２上の遊技領域１１を見ることができる。また、ガラス扉９の上部には、遊技中のエラーを表示するエラー表示ランプ７や、「当たり」を表示する当たり表示ランプ８、８が取り付けられている。
【００１１】
次に、図２において、パチンコ機１における遊技盤２上の遊技領域１１の構成について説明する。所定厚さの板材からなる遊技盤２上の遊技領域１１には、入賞口などの各種構造物が配設されており、それを囲むように環状のレール１２が遊技盤２上に立設されている。このレール１２は、発射されたパチンコ球を遊技領域１１内に案内する案内路１３を構成し、遊技盤２上の右肩部には、レール１２に沿って打ち込まれるパチンコ球の進行を制限するための段差部１４が配設されている。
【００１２】
遊技領域１１のほぼ中央には、開口部が遊技盤２に開設され、この開口部の前面側には、表示装置としての特別図柄表示装置１８が配設されている。この特別図柄表示装置１８は、映像表示用の液晶表示器１９を備え、この液晶表示器１９が遊技盤２の開口部に裏面側から取り付けられる。この液晶表示器１９は、変動する背景画面上に、左側のキャラクタ、中側のキャラクタ、及び右側のキャラクタの３つの変動図柄を表示するが、この変動図柄としてのキャラクタが液晶表示器１９の上下方向に変動する際に、数字「１」乃至「９」の数字等のキャラクタが各々独立して順番に表示される。
そして、液晶表示器１９の左側のキャラクタ、中側のキャラクタ、及び右側のキャラクタが変動を開始した後、所定時間の変動状態を経過して停止した状態で、３個のキャラクタが揃う（すなわち、複数のキャラクタが、例えば「７、７、７」等の予め定めた特定表示結果となった）と、いわゆる大当たり遊技状態となる。
【００１３】
また、その液晶表示器１９の右下角部には、左右に二分割された普通図柄（例えば「０」乃至「９」の数字）を表示する普通図柄表示部２０が設けられている。
一方、特別図柄表示装置１８の左右には、飾り風車２３、２４が設けられている。また、各飾り風車２３、２４及び特別図柄表示装置１８の間には、通常の風車２５、２６が設けられ、特別図柄表示装置１８の両肩側には、電飾ランプ付きの風車２７、２８が設けられている。
また、特別図柄表示装置１８の直下には、液晶表示器１９の特別図柄変動開始用の第１始動口３１が配設されている。この第１始動口３１の左右には、普通図柄表示部２０の普通図柄変動開始用の各ゲート３２、３３が配設されている。この第１始動口３１には、パチンコ球の入賞を検出する第１始動口スイッチ（図示せず）が設けられている。
【００１４】
この第１始動口スイッチがパチンコ球の入賞を検出すると、液晶表示器１９の背景画面上に表示されている左側のキャラクタ、中側のキャラクタ、及び右側のキャラクタ等の特別図柄の変動が開始するように構成されている。そして、これら特別図柄が変動中に、第１始動口スイッチが第１始動口３１内のパチンコ球の入賞を検出した場合には、主基板に設けられるＲＡＭ（記憶装置）の第１保留カウンタ（図示せず）に、その入賞個数のカウント値が、４個まで記憶されて、変動確定回数として保留される。この第１保留カウンタに記憶されているカウント値を表示する第１保留ＬＥＤ３４が、液晶表示器１９の両肩部に各々２個ずつ配置されている。
【００１５】
また、各ゲート３２、３３には、パチンコ球の通過を検出するゲートスイッチ（図示せず）が備えられている。これらゲートスイッチがパチンコ球の通過を検出すると、普通図柄表示部２０の普通図柄が変動するように構成されている。そして、普通図柄の変動中に、各ゲート３２、３３が入賞したことを検出した場合に、主基板に設けられるＲＡＭ（記憶装置）の第２保留カウンタに、その入賞個数のカウント値が、４個まで記憶されて変動確定回数として保留される。この第２保留カウンタに記憶されているカウント値を表示する第２保留ＬＥＤ３５が、液晶表示器１９の上側に左右方向に４個配置されている。
【００１６】
そして、これら第１始動口３１、各ゲート３２、３３の下側には、可動入賞装置としての特別入賞装置４１が配設されている。この特別入賞装置４１は、遊技者にとって有利な特定遊技状態（いわゆる大当たり遊技状態）を発生させる際に利用する。その特別入賞装置４１には、第２開閉扉（図示せず）で前面部を覆われる第２始動口３８が形成される。その特別入賞装置４１には、更に第２始動口３８よりも横幅が広く開口し、開閉扉３９で前面部を覆われる大入賞口４０が形成されている。
【００１７】
この場合、開閉扉３９が開閉することにより、パチンコ遊技機１の遊技領域１１を転動するパチンコ球を、入口としての大入賞口４０に入賞させることができる。そして、開閉扉３９が開いて大入賞口４０を開口した状態で、大入賞口４０内にパチンコ球が入賞しやすくなって、遊技者にとって有利な特定遊技状態（いわゆる「大当たり」となって多数の賞球が払い出される状態）となる。
その大入賞口４０内には、入賞個数カウント用の大入賞口カウントスイッチが設けられる他に、「大当たり」を継続するためのＶスイッチ（図示せず）が設けられている。
その第２始動口３８には、パチンコ球の入賞を検出する第２始動口スイッチが設けられている。そして、第２始動口スイッチが、第２始動口３８内に入賞したことを検出した場合には、入賞個数が４個までのカウント値が、主基板に設けられるＲＡＭの第１保留カウンタに記憶される。
【００１８】
また、このような特別入賞装置４１の両側上方には、電飾ランプを付設した下入賞口４２、４３が配設されている。これら下入賞口４２、４３には、この下入賞口４２、４３への入賞を検出する下入賞口スイッチが設けられている。また、特別入賞装置４１の直下には、レール１２に沿ってアウト口４４が開設されている。更に、レール１２に囲まれたこのような遊技領域１１には、前記各構成物とともに複数の釘（不図示）が打設されることにより、パチンコ球の複雑な流路を構成している。
【００１９】
次に、特別入賞装置４１について、図３乃至図５に基づいて説明する。図３はこの実施形態に係るパチンコ機１の特別入賞装置４１を拡大して示す斜視図である。図４は、その特別入賞装置４１の開閉扉３９内に配置される開閉用ソレノイド５４及び開閉扉３９を抽出して示す拡大斜視図であって、（Ａ）は開閉扉３９が閉じた状態、（Ｂ）は開閉扉３９が開いた状態である。図５はその特別入賞装置４１の開閉扉３９の概略を示す図であって、（Ａ）は開閉扉３９が閉じた状態を示す拡大正面図であり、（Ｂ）は開閉扉３９が開いた状態を示す拡大断面図である。
この特別入賞装置４１は、図３に示すように、遊技領域１１の裏面側に位置する装置本体５１と、この装置本体５１の前面部に取り付けられる装飾基板４５とから構成され、遊技盤２の表面にビス等で取り付けられる。
【００２０】
その装置本体５１には、前面中央部の上側に大入賞口４０が形成されると共に、その下側にパチンコ球が１個通過できる大きさの第２始動口３８が形成されている。具体的には、大入賞口４０は、横幅が広くなる開口がほぼ長四角形状に形成されている。更に、その大入賞口４０の下側には、略四角形の開口部４５Ｂが、第２始動口３８として形成されている。また、この開口部４５Ａの左右両側には、上方に開口する各入賞口４５Ｃ、４５Ｄが、前面側に突出して形成されている。
また、開口部４５Ｂの前面側には、案内路３７ａが設けられている。この案内路３７ａは、各入賞口４５Ｃ、４５Ｄの内側（大入賞口４０側）を転動落下してきたパチンコ球を、開口部４５Ｂに案内するために形成されているので、案内路３７ａに沿って案内されるパチンコ球が、第２始動口３８内に入りやすくなっている。
また、大入賞口４０は、図４及び図５に示すように、開閉自在となる開閉扉３９によって覆われている。この開閉扉３９は、大入賞口４０内に配設される開閉用ソレノイド５４によって作動される作動用クランク５５を介して、開閉扉３９の基部３９Ａを回転中心として開閉される。
【００２１】
具体的には、開閉扉３９は、パチンコ球を当てて大入賞口４０内に、パチンコ球を導くための、遊技球当て部３９Ｂをその上面側に備えている。その開閉扉３９は、パチンコ球を遊技球当て部３９Ｂに当てて、前記大入賞口４０に導くための第１位置（図４（Ｂ）参照）と、パチンコ球を遊技球当て部３９Ｂに当てずに、パチンコ球の落下を許容するための第２位置（図４（Ａ）参照）との間を回動する。
この場合、大入賞口４０は、上方開口４０Ａと下方開口４０Ｂとを備え、大入賞口４０におけるパチンコ球が入る口としての上方開口４０Ａを、前記第１位置（図４（Ｂ）参照）よりも上方側に設定している。そして、遊技球当て部３９Ｂが第１位置（図４（Ｂ）参照）に配置された状態で、遊技球当て部３９Ｂがパチンコ球用の流路Ｐ１に突き出て、転動するパチンコ球を遊技球当て部３９Ｂに当てて、大入賞口４０の上方開口４０Ａを通過させて、内部へ導くことができる。
【００２２】
また、開閉扉３９の遊技球当て部３９Ｂの上方には、上方開口４０Ａを塞ぐことができる蓋部３９Ｃが一体的に設けられている。そして、開閉扉３９が、流路Ｐ１（図５（Ｂ）参照）に沿ったパチンコ球の落下を許容するための第２位置（図４（Ａ）参照）に配置される際に、蓋部３９Ｃが大入賞口４０の上方開口４０Ａを塞ぎ、遊技球当て部３９Ｂが下方開口４０Ｂを塞ぐことができる。一方、開閉扉３９が、第１位置（図４（Ｂ）参照）に配置された際、パチンコ球を遊技球当て部３９Ｂに当てて前記上方開口４０Ａに導く際に、蓋部３９Ｃを上方開口４０Ａ内に収納することができる。また、開閉扉３９の下面には、落下するパチンコ球を受ける遊技球当て部３９Ｂを補強するための、補強用の突部３９Ｄが多数設けられている。
【００２３】
また、開閉扉３９の裏面側には、配置変更手段及び駆動手段としての開閉用ソレノイド５４が配置されている。この開閉用ソレノイド５４は、突出部として上下動するプランジャ５４ａを備えており、プランジャ５４ａには、付勢用のコイルバネ５４ｂが取り付けられている。この場合、開閉用ソレノイド５４の駆動時には、コイルバネ５４ｂの付勢力に抗して、プランジャ５４ａが上方向に移動するのに対して、開閉用ソレノイド５４の非駆動時には、コイルバネ５４ｂの付勢力によりプランジャ５４ａが下方向に移動する。
また、開閉扉３９の裏面側には、作動部材としての作動用クランク５５が配置されている。図４に示す作動用クランク５５は、湾曲形状をなすとともに、プランジャ５４ａに係止される第１作動部５８と、開閉扉３９に向かって延びる第２作動部５９とを備えている。そして、作動用クランク５５は、開閉用ソレノイド５４のプランジャ５４ａの上下動に伴って、支点５７を中心として揺動する。すなわち、プランジャ５４ａの下端部側は、作動用クランク５５の第１作動部５８と、止めピンＸ１でもって係止されるので、開閉用ソレノイド５４が、プランジャ５４ａを上方向に移動させると、第１作動部５８が上方向に移動するのに対して、プランジャ５４ａを下方向に移動させると、第１作動部５８も下方向に移動し、その結果、作動用クランク５５は支点５７を中心として揺動する。
【００２４】
そして、第１作動部５８が、図４（Ｂ）に示すように、上方向に移動すると、第２作動部５９は、下方向に移動するのに対して、第１作動部５８が下方向に移動すると、第２作動部５９は、図４（Ａ）に示すように、上方向に移動することになる。
そして、開閉扉３９は、作動用クランク５５の第２作動部５９と係合される第１係合部６０及び第２係合部６１を有している。その第１係合部６０は開閉扉３９の裏面側に突設する突部からなるのに対して、第２係合部６１は開閉用ソレノイド５４に向かって延設される腕部からなる。そして、図４（Ａ）に示すように、開閉扉３９が大入賞口４０を閉じた状態で、先端部が丸みを帯びた第２作動部５９は、その先端部の端面でもって、開閉扉３９の第２係合部６１と当接した状態となるのに対して、開閉扉３９を開いた状態で、第２作動部５９は、第２係合部６１と当接した位置に保持する。
【００２５】
そして、開閉用ソレノイド５４が、プランジャ５４ａを下方位置から上方向に移動させるように駆動すると、第１作動部５８が下方位置から上方向に移動するので、作動用クランク５５が支点５７を中心に揺動することにより、作動用クランク５５の第２作動部５９が、開閉扉３９の第２係合部６１を押圧移動させる。一方、開閉用ソレノイド５４がプランジャ５４ａを上方位置から下方向に移動させるように駆動すると、作動用クランク５５が支点５７を中心として揺動し、第２作動部５９は、開閉扉３９の第１係合部６０を押圧移動させる。それにより、開閉扉３９は、その基部３９Ａを回転中心として、閉じた状態（図４（Ａ）参照）と、開いた状態（図４（Ｂ）参照）との間をスムーズに回動する。そして、パチンコ球の落下を許容するための第２位置を、パチンコ球を遊技球当て部３９Ｂに当てて大入賞口４０に導くための第１位置よりも下方に設定し、配置変更手段としての開閉用ソレノイド５４、プランジャ５４ａ、作動用クランク５５、第１作動部５８、第２作動部５９等が、第１位置及び前記第２位置に選択的に前記遊技球当て部３９Ｂを配置できる。その結果、遊技領域１１を転動するパチンコ球を前記遊技球当て部３９Ｂに当てて前記大入賞口４０（入口）に導くための第１位置（図４（Ｂ）実線）に遊技球当て部３９Ｂを配置できるとともに、遊技球の落下を許容するための第２位置（図４（Ｂ）破線）に、前記遊技球当て部３９Ｂを配置するように構成（配置手段）する。そして、第１位置（図４（Ｂ）実線）に開閉扉３９の遊技球当て部３９Ｂを配置すると、転動するパチンコ球を遊技球当て部３９Ｂに当てて、大入賞口４０（入口）に導くのに対して、遊技球当て部３９Ｂに転動するパチンコ球の落下を許容できる第２位置（図４（Ｂ）破線）に遊技球当て部３９Ｂを配置すると、転動するパチンコ球の落下を許容させ、転動するパチンコ球を大入賞口４０（入口）に入賞させない。
【００２６】
以上詳細に説明した通り、第１の実施形態に係るパチンコ遊技機１によれば、遊技領域１１を転動するパチンコ球（遊技球）を、大入賞口４０（入口）に、入賞せるための開閉扉３９（開閉扉）を備える特別入賞装置４１（可動入賞装置）において、開閉扉３９の裏面側に配置され、上下動するプランジャ５４ａ（突出部）を有する開閉用ソレノイド５４（駆動手段）と、このプランジャ５４ａに係止される第１作動部５８と、開閉扉３９に向かって延びる第２作動部５９とを少なくとも備え、開閉用ソレノイド５４のプランジャ５４ａの上下動に伴って、支点５７を中心に揺動する作動用クランク５５（作動部材）と、この作動用クランク５５の第２作動部５９と係合される第２係合部６１を少なくとも有する開閉扉３９とを備える。
そして、遊技球当て部３９Ｂが配置される第１位置（図４（Ｂ）実線）よりも、パチンコ球の落下を許容するための第２位置（図４（Ｂ）破線）を下方に設定したことにより、転動するパチンコ球を大入賞口４０に入れない場合、開閉用ソレノイド５４及びプランジャ５４ａ等からなる配置変更手段が、第１位置から第２位置（下方位置）に向かって開閉扉３９を移動させるので、従来技術の上開き方式の開閉扉を開いた状態（第１位置）から、閉じる状態（第２位置、すなわち、上方位置）に移動する際に、閉まりかかった開閉扉と遊技盤面との間に、遊技球が挟まるといった事態が発生することを防止できる。
尚、作動部材として作動用クランク５５を用いたが、必ずしもこれに限定される訳ではなく、配置変更手段及び駆動手段として開閉用ソレノイド５４を用いたが、必ずしもこれに限定される訳ではない。また、開閉扉３９は、蓋部材としての蓋部３９Ｃと必ずしも一体型である必要はない。また、蓋部３９Ｃは、大入賞口４０の上方開口４０Ａを塞ぐ構成であれば、その他の構成でもよく、必要性に乏しい場合は、無くても良い。
また、開閉扉３９の遊技球当て部３９Ｂに当てて大入賞口４０に導くための第１位置（図４（Ｂ）参照）に、前記遊技球当て部３９Ｂを配置できるとともに、パチンコ球の落下を許容するための第２位置（図４（Ａ）参照）に、遊技球当て部３９Ｂを配置できる構成であれば、必ずしも上述した構成である必要は無い。
【００２７】
次に、第２の実施の形態について説明する。ここで、図６は、第２の実施形態に係るパチンコ遊技機６３の遊技領域６４を拡大して示した正面図である。図７は、可動入賞装置６７のみを示す拡大正面図である。図８は、可動入賞装置６７のみを示す拡大断面図である。図９は、可動入賞装置６７から回転部材等を取り外した状態を示す拡大正面図である。
【００２８】
このパチンコ遊技機６３は、図６に示すように、後述する入賞口、可動入賞装置、電動役物及びゲート等の各種構造物を、遊技盤の遊技領域６４上に配設しており、それを囲むように環状のレール６５が遊技盤上に立設されている。このレール６５は、発射されたパチンコ球を遊技領域６４内に案内する案内路を構成し、遊技盤上の右肩部には、レール６５に沿って打ち込まれるパチンコ球の進行を制限するための段差部６６が配設されている。
遊技領域６４のほぼ中央には、可動入賞装置６７が配置されている。この可動入賞装置６７の左右には、電飾ランプ６８、６９が設けられている。その可動入賞装置６７と電飾ランプ６８、６９との間の上方には、飾り風車７０、７１が設けられており、更に、可動入賞装置６７の左右側方には、飾り風車７２、７３が設けられている。
【００２９】
更に、可動入賞装置６７と電飾ランプ６８、６９との間には、入賞口７４、７５が設けられている。可動入賞装置６７の左右下方には、電飾ランプ付きの風車７６、７７が設けられている。可動入賞装置６７及び電飾ランプ付きの風車７６、７７の下方には、始動口部材７８が設置してあり、この始動口部材７８には、中始動口７８Ａが設けられ、この中始動口７８Ａの左右には、左入賞口７８Ｂ及び右入賞口７８Ｃが設けられている。そして、中始動口７８Ａ、左入賞口７８Ｂ及び右入賞口７８Ｃにパチンコ球が入賞すると、所定数の賞球を払い出すと共に、可動入賞装置６７の羽根７９を開閉する。例えば中始動口７８Ａにパチンコ球が入賞すると、羽根７９が２回開閉する。また、左入賞口７８Ｂ及び右入賞口７８Ｃにパチンコ球が入賞すると、羽根７９が１回開閉する。
【００３０】
次に、可動入賞装置６７の構成について説明する。
この可動入賞装置６７の上方左右には、図７乃至図９に示すように、左肩及び右肩入賞口６７ａが設けられている。その左肩及び右肩入賞口６７ａには、パチンコ球を当てて、可動入賞装置６７内にパチンコ球を導くため、回動可能な羽根７９が配置されており、一対の羽根７９は、遊技球当て部７９Ａをその上面側にそれぞれ備えている。
左肩入賞口６７ａと右肩入賞口６７ｂとの間には、遊技中に、回転を継続する回転部材８０が配置されている。その回転部材８０の一部には、大当たり入賞部（図示せず）が設けられており、大当たり入賞部に、パチンコ球が入賞すると、「大当たり」（特に有利な特別遊技状態）を継続し、所定数の賞球としてのパチンコ球が払い出される。
【００３１】
その回転部材８０の内側上部には、発光素子としての発光ＬＥＤ８１が設けられている。この回転部材８０の下部には、図８に示すように、発光ＬＥＤ８１の発光制御を行うための発光用制御基板８２が設けられており、発光用制御基板８２を支持するスリップリング８２Ａが設けられている。このスリップリング８２Ａには、制御信号等を伝送するための信号線８３が取り付けられている。回転部材８０の奥部には、回転部材８０を回転させるための、回動駆動ギヤ８４が設けられている。この回動駆動ギヤ８４の下方には、回動駆動ギヤ８４を回転させるための、駆動モータ８５が設けられている。そして、駆動モータ８５が駆動すると、回動駆動ギヤ８４を回転させ、更に回転部材８０を回転させることになるので、その回転部材８０の回転に同期して、発光ＬＥＤ８１が発光点滅しし、遊技者の注目を集めることになる。
【００３２】
その駆動モータ８５の奥部には、図８及び図９に示すように、開閉用の羽根７９を回動させるための一対の駆動用ソレノイド８６が設けられており、この駆動用ソレノイド８６は、配置変更手段及び駆動手段として機能し、それぞれプランジャ８７を有している。そして、プランジャ８７の上端には、クランク８８が取り付けられており、このクランク８８には、羽根７９をそれぞれ回動させるための、一対の駆動用ギヤ８９がそれぞれ取り付けられている。これら駆動用ギヤ８９は、各支持ピン９０を回転中心として回動し、これら駆動用ギヤ８９は、羽根回動用ギヤ９１とそれぞれ歯合している。また、羽根回動用ギヤ９１には、図８に示すように、軸部材９２がそれぞれ取り付けられているので、その軸部材９２が回転すると、羽根７９が軸部材９２と一体的に回転するようになっている。
【００３３】
具体的には、駆動用ソレノイド８６のプランジャ８７が上方へ移動すると、クランク８８も上方へ移動し、駆動用ギヤ８９が支持ピン９０を回転中心として回動する。この場合、これらプランジャ８７が上方へ移動すると、左側駆動用ギヤ８９が反時計回りに回動し、右側駆動用ギヤ８９が時計回りに回動するので、左側駆動用ギヤ８９と歯合している左側羽根回動用ギヤ９１が、時計回りに回動し、右側駆動用ギヤ８９と歯合している右側羽根回動用ギヤ９１が、反時計回りに回動する。それにより、左側の羽根７９は、軸部材９２が時計回りに回転する結果、時計回りに回動し、右側の羽根７９は、軸部材９２が反時計回りに回転する結果、反時計回りに回動する。
このように左側の羽根７９が時計回りに回動すると、左側の羽根７９の遊技球当て部７９Ａがパチンコ球用の流路Ｐ２に突き出るので、転動するパチンコ球を遊技球当て部７９Ａに当てて、可動入賞装置６７の左肩入賞口６７ａ（入口）を通過させて、内部へ導くことができる。また、右側の羽根７９が反時計回りに回動すると、遊技球当て部７９Ａがパチンコ球用の流路Ｐ２に突き出るので、転動するパチンコ球を遊技球当て部７９Ａに当てて、可動入賞装置６７の右肩入賞口６７ａ（入口）を通過させて、内部へ導くことができる。
また、駆動用ソレノイド８６のプランジャ８７が下方へ移動すると、クランク８８も下方へ移動し、駆動用ギヤ８９が支持ピン９０を回転中心として回動する。この場合、プランジャ８７が下方へ移動すると、左側駆動用ギヤ８９が時計回りに回動し、右側駆動用ギヤ８９が反時計回りに回動するので、左側駆動用ギヤ８９と歯合している左側羽根回動用ギヤ９１が反時計回りに回動し、右側駆動用ギヤ８９と歯合している右側羽根回動用ギヤ９１が時計回りに回動する。
【００３４】
このように左側の羽根７９が反時計回りに回動すると、図９の実線に示すように、左側の羽根７９の遊技球当て部７９Ａがパチンコ球用の流路Ｐ２から突き出ることがないので、転動するパチンコ球を遊技球当て部７９Ａに当たることなく、可動入賞装置６７内の内部へ入らない。
また、右側の羽根７９が反時計回りに回動すると、図９の実線に示すように、遊技球当て部７９Ａがパチンコ球用の流路Ｐ２に突き出ることがないので、転動するパチンコ球を遊技球当て部７９Ａに当たることなく、可動入賞装置６７内の内部へ入らない。
この場合、可動入賞装置６７において、上下動するプランジャ８７（突出部）を有する駆動用ソレノイド８６（駆動手段）と、このプランジャ８７に係止される駆動用ギヤ８９（第１作動部材）と、前記羽根７９（羽根部材）と連結する羽根回動用ギヤ９１等（第２作動部材）とを備え、プランジャ８７（突出部）の上下動に伴って、支持ピン９０（支点）を中心として揺動する羽根回動用ギヤ９１等（第２作動部材）と係合される羽根７９とを備え、駆動用ギヤ８９が支持ピン９０を中心として揺動することにより、駆動用ギヤ８９及び羽根回動用ギヤ９１の作動でもって、羽根７９が閉じた状態から開いた状態になったり、反対に、開いた状態から閉じた状態にできる。
【００３５】
従って、左側及び右側の羽根７９の遊技球当て部７９Ａが、流路Ｐ２に沿ったパチンコ球の落下を許容するための第２位置（図９実線）に配置されることにより、転動するパチンコ球の落下を許容させ、転動するパチンコ球を入賞口としての左肩及び右肩入賞口６７ａ（入口）に入れない。一方、左側及び右側の羽根７９の遊技球当て部７９Ａが、流路Ｐ２に沿って落下するパチンコ球を受ける遊技球当て部７９Ａに当てて、可動入賞装置６７内部へ導くことができる。そして、駆動用ソレノイド８６及びプランジャ８７でもって、第１位置（図９破線）または第２位置（図９実線）を選択することにより、転動するパチンコ球を遊技球当て部７９Ａに当てるか否かが決まり、可動入賞装置６７内部へ導いたり、導かなかったりすることができる。尚、可動入賞装置６７の上部には、覆い部材Ｑ１が設けられており、覆い部材Ｑ１は、パチンコ球の落下を許容するための第２位置（図９実線）に、前記遊技球当て部７９Ａを配置した際に、可動入賞装置６７内に入賞しないように、パチンコ球流路Ｐ２を形成できる。
この場合、可動入賞装置６７の覆い部材Ｑ１には、不用意な入賞をできるだけ防止するため、上方から左右に流れる斜面が形成されているので、左側及び右側の羽根７９の遊技球当て部７９Ａが、流路Ｐ２に沿ったパチンコ球の落下を許容するための第２位置（図７実線）に位置する場合、左肩及び右肩入賞口６７ａ（入口）に、パチンコ球ができるだけ入賞しないように流路Ｐ２を形成することができる。
【００３６】
以上詳細に説明した通り、第２の実施形態に係るパチンコ遊技機６３の遊技領域６４を転動するパチンコ球を、左肩及び右肩入賞口６７ａ（入口）に入れるため開閉する一対の羽根７９（可動部材）を備えた可動入賞装置６７において、遊技球を当てるための遊技球当て部７９Ａを前記羽根７９（可動部材）に設け、転動するパチンコ球を前記遊技球当て部７９Ａに当てて前記左肩及び右肩入賞口６７ａ（入口）に導くための第１位置（図９破線）に、前記遊技球当て部７９Ａを配置できるとともに、パチンコ球の落下を許容するための第２位置（図９実線）に、前記遊技球当て部７９Ａを配置できるように構成し、前記第２位置（図９実線）を前記第１位置（図９破線）よりも下方に設定し、前記第１位置（図９破線）及び前記第２位置（図９実線）に、前記遊技球当て部７９Ａを選択的に配置できる駆動用ソレノイド８６、プランジャ８７、駆動用ギヤ８９、羽根回動用ギヤ９１及び軸部材９２（配置変更手段）を備えたので、第１位置（図９破線）に羽根７９の遊技球当て部７９Ａを配置することにより、転動するパチンコ球を遊技球当て部７９Ａに当てて左肩及び右肩入賞口６７ａ（入口）に導くのに対して、遊技球当て部７９Ａに転動するパチンコ球の落下を許容できる第２位置（図９実線）に遊技球当て部７９Ａを配置することにより、転動するパチンコ球の落下を許容させ、転動するパチンコ球を左肩及び右肩入賞口６７ａ（入口）に入れない。
上記実施の形態の場合、作動部材として駆動用ギヤ８９、羽根回動用ギヤ９１及び軸部材９２を用いたが、必ずしもこれに限定される訳ではなく、配置変更手段及び駆動手段として駆動用ソレノイド８６等を用いたが、必ずしもこれに限定される訳ではない。
尚、本発明は、前記実施形態に限定されるものではなく、本発明の要旨を逸脱しない範囲内で種々の改良、変形が可能であることは勿論である。例えば、以下のようにしてもよい。
例えば図１０に示す可動入賞装置の場合、不用意な入賞をできるだけ防止するための覆い部材Ｒ１は、入賞口Ｒ３の上方に配置されており、その覆い部材Ｒ１と入賞口Ｒ３との間には、左右の可動部材Ｒ２を配置する。そして、パチンコ球を当てるための遊技球当て部Ｒ２ａを、可動部材Ｒ２の上側に設けることにより、パチンコ遊技機の遊技領域を転動するパチンコ球を、遊技球当て部Ｒ２ａに当てて前記入賞口Ｒ３に導くための第１位置（２点鎖線）に、遊技球当て部Ｒ２ａを配置できるとともに、パチンコ球の落下を許容するための第２位置（実線）に、前記遊技球当て部Ｒ２ａを配置できる。このような第２位置（実線）を第１位置（２点鎖線）よりも下方に設定し、前記第１位置（２点鎖線）及び前記第２位置（実線）に、前記可動部材Ｒ２の遊技球当て部Ｒ２ａを選択的に配置できるように構成した。
【００３７】
この具体例の場合、大きめの覆い部材Ｒ１を入賞口Ｒ３の上方に配置し、覆い部材Ｒ１の上方に、一対の斜面Ｒ１ａを設けるので、覆い部材Ｒ１は、斜面Ｒ１ａに沿って流れるパチンコ球が入賞口Ｒ３（入口）にできるだけ入賞しないように流路Ｐ３を形成することができる。
そして、図１０に示すように、可動部材Ｒ２の遊技球当て部Ｒ２ａに当てて入賞口Ｒ３（入口）に導くための第１位置（２点鎖線）よりも、パチンコ球の落下を許容するための第２位置（実線）を下方に設定したことにより、転動するパチンコ球を入賞口Ｒ３（入口）に入れない場合、すなわち、可動部材Ｒ２を閉じる場合には、例えば図示しない駆動モータ（配置変更手段）の駆動力を利用して、第１位置（２点鎖線）から下方の第２位置（実線）に向かって、可動部材Ｒ２を移動させるので、従来技術の上開き方式の可動部材を備えた役物（図示せず）において、開いた状態（第１位置）から閉じる状態（第２位置、すなわち、上方位置）に移動する際に、閉まりかかった可動部材と役物本体との間に、パチンコ球が挟まるといった事態が発生することを防止できる。
【００３８】
前記実施形態では、開閉扉３９を備える特別入賞装置４１、及び羽根７９を備える可動入賞装置６７等において、この発明を実施したが、必ずしもそれに限定される訳ではなく、可動部材を備える可動入賞装置であれば、例えばチューリップ型等の通常の入賞装置に、この発明を実施してもよい。また、前記実施形態では、駆動手段として開閉用ソレノイド５４等を用いたが、駆動手段として例えば駆動モータ等を用いたカム機構等であってもよい。また、第１種及び第２種パチンコ機に限定される訳ではなく、第３種パチンコ機において、実施しても良い。
【００３９】
また、前記実施形態では、遊技機はパチンコ遊技機１であったが、遊技球を入賞させるための開閉扉を備える可動入賞装置であれば、それ以外の遊技機であっても良い。
【符号の説明】
【００４０】
１…パチンコ遊技機、２…遊技盤、１１…遊技領域、１８…特別図柄表示装置、３９…開閉扉、３９Ａ…基部、３９Ｂ…遊技球当て部、３９Ｃ…蓋部、４０…大入賞口、４０Ａ…上方開口、４０Ｂ…下方開口、４１…特別入賞装置（可動入賞装置）、４５…装飾基板、５１…装置本体、５４…開閉用ソレノイド（駆動手段）、５４ａ…プランジャ（突出部）、５５…作動用クランク（作動部材）、５７…支点、５８…第１作動部、５９…第２作動部、６０…第１係合部、６１…第２係合部、６３…パチンコ遊技機、６４…遊技領域、６７…可動入賞装置、６７ａ…左肩及び右肩入賞口（入口）、７９…羽根（羽根部材）、７９Ａ…遊技球当て部、８６…駆動用ソレノイド、８７…プランジャ、８９…駆動用ギヤ、９１…羽根回動用ギヤ、９２…軸部材、Ｒ１…覆い部材、Ｒ２…可動部材、Ｒ２ａ…遊技球当て部、Ｒ３…入賞口（入口）、Ｐ１，Ｐ２，Ｐ３…流路（遊技球用流路）。
【図１】
2010057958.tif 000003
【図２】
2010057958.tif 000004
【図３】
2010057958.tif 000005
【図４】
2010057958.tif 000006
【図５】
2010057958.tif 000007
【図６】
2010057958.tif 000008
【図７】
2010057958.tif 000009
【図８】
2010057958.tif 000010
【図９】
2010057958.tif 000011
【図１０】
2010057958.tif 000012